(57)【要約】【課題】複数台の端末を備えた監視制御システムにおいて、的確に効率の良い監視業務が行えるようにする。【解決手段】複数台の監視制御端末１，２の少なくとも１台の特定の監視制御端末１は、事象ごとに予め定義した複数の画面情報を格納する。そして、検出した事象に対応したグループ画面表示情報定義から取得した複数の画面情報を、他の監視制御端末２に対して指示して、特定の事象が発生したとき、複数台の監視制御端末１，２で連携した画面を表示させる。【選択図】図１
2016126435.tif 000002
【特許請求の範囲】
【請求項１】
所定のネットワークを介して監視制御対象のプラントと接続された複数台の監視制御端末を備えるプラント監視制御システムであり、
前記複数台の監視制御端末のそれぞれは、前記プラントの監視制御を行う画面を表示装置に表示させる画面表示管理部を備え、
前記複数台の監視制御端末の少なくとも１台の特定の監視制御端末は、
前記プラントからの状態変化を監視するプラント情報管理部と、
前記プラント情報管理部での監視に基づいて、事象を検出する事象検出部と、
事象ごとに予め定義した複数の画面情報を格納するグループ毎画面表示情報定義格納部と、
前記事象検出部が検出した事象に基づいて、グループ毎画面表示情報定義格納部に格納された画面情報を読み出し、その読み出した画面情報を他の監視制御端末に対して指示する画面表示指示要求部とを備え、
前記特定の監視制御端末を除く前記複数台の監視制御端末は、
他の監視制御端末からの画面表示指示を受付け、前記画面表示管理部に受付けた画面表示指示を、前記画面表示管理部に対して行う画面表示指示受付部を備える
プラント監視制御システム。
【請求項２】
前記グループ毎画面表示情報定義格納部が格納する画面情報には、事象ごとに複数の画面情報が存在する場合と、１つの画面情報だけが存在する場合があり、
前記事象検出部が検出した事象に複数の画面情報が存在する場合に、前記画面表示指示要求部は、複数の画面情報の内の１つを表示するように、自らの監視制御端末内の画面表示管理部に対して指示を行い、複数の画面情報の内の残りの画面情報を表示するように、他の監視制御端末に対して指示を行い、
前記事象検出部が検出した事象に１つの画面情報だけが存在する場合に、前記画面表示指示要求部は、自らの監視制御端末内の前記画面表示管理部に対して指示を行う
請求項１に記載のプラント監視制御システム。
【請求項３】
前記グループ毎画面表示情報定義格納部が格納する事象ごとの複数の画面情報は、その画面を表示する監視制御端末を特定する情報が含まれる
請求項１に記載のプラント監視制御システム。
【請求項４】
監視制御端末が備える入力装置で、所定の入力操作を受付けてから一定期間内に、前記画面表示指示受付部が他の監視制御端末からの画面表示指示を受付けたとき、前記画面表示管理部は、前記入力操作に基づいた画面を表示装置に表示させる
請求項１に記載のプラント監視制御システム。
【請求項５】
所定のネットワークを介して監視制御対象のプラントと接続された複数台の監視制御端末を備えるシステムに適用されるプラント監視制御方法であり、
前記複数台の監視制御端末の少なくとも１台の特定の監視制御端末が行う処理として、
前記プラントからの状態変化を監視するプラント情報管理処理と、
前記プラント情報管理処理による監視に基づいて、事象を検出する事象検出処理と、
事象ごとに予め定義した複数の画面情報を格納するグループ毎画面表示情報定義格納処理と、
前記事象検出処理で検出した事象に基づいて、グループ毎画面表示情報定義格納処理で格納された画面情報を読み出し、その読み出した画面情報を他の監視制御端末に対して指示する画面表示指示要求処理とを含み、
前記特定の監視制御端末を除く前記複数台の監視制御端末が行う処理として、
他の監視制御端末からの画面表示指示を受付け、受付けた画面表示指示に基づいて表示画面の作成を実行させる画面表示指示受付処理を含む
プラント監視制御方法。
【発明の詳細な説明】
【技術分野】
【０００１】
本発明は、プラントの監視制御業務を行うプラント監視制御システム及びプラント監視制御方法に関し、複数の監視制御端末を利用して監視制御を行う技術に関する。
【背景技術】
【０００２】
上水道や下水道の処理設備などのプラントは、近年の市区町村の合併や効率化などで、１つの監視制御システムで監視する範囲が広域化する傾向にある。また、近年の自然災害の大規模化や広域化に伴って、監視制御システムで監視を行うオペレーターにとっては、事態の把握の緊急性が増しており、対応の迅速化が求められている。これらの状況から、プラントの監視制御システムに従事するオペレーターの作業負担が増加する傾向にある。
【０００３】
通常、上水道や下水道の処理設備などのプラントの監視制御システムは、中央監視設備に監視制御端末が備え付けられており、オペレーターは監視制御端末の画面の表示内容から、プラントの状況や周辺地域の情報を取得することができる。なお、上述した状況から、１箇所の中央監視設備で監視制御する範囲が広域化する傾向にあり、そのため、一人ひとりのオペレーターが監視制御を行う範囲も広域化する傾向になっている。
【０００４】
ここで、監視範囲内の施設にて何らかの異常が発生した場合には、関連する施設情報を表示する画面や関連機器のトレンドグラフ、アラーム一覧等をオペレーターの判断で、監視制御端末毎に表示する必要があり、オペレーターの負担となっている。また、迅速に適切な画面を表示する作業は、各オペレーターの力量に左右されるため、発生する事象によっては不慣れなオペレーターの初動対応遅れを誘発する原因となっている。
【０００５】
さらに近年増加している大規模災害にはゲリラ豪雨や地震等があるが、これらの災害がプラントにもたらす影響も増加しており、プラント機器が計測した各数値やアラームに応じて迅速に対応することが求められている。そして、この場合においても、プラントのオペレーターは複数の監視制御端末に画面を表示して事態を把握する必要があるため、監視業務を行うオペレーターの負担を軽減することが要望されている。
【０００６】
特許文献１には、監視制御業務を行うオペレーターの負担軽減を目的として、警報の出力などの状態変化があるとき、監視制御システムの画面に、必要な情報を自動的に表示させる点が開示されている。
【先行技術文献】
【特許文献】
【０００７】
【特許文献１】特開平８−９８２５５号公報
【発明の概要】
【発明が解決しようとする課題】
【０００８】
特許文献１に記載されるように、警報の出力があるとき、その警報が発せられたプラントの状態を画面に表示することで、オペレーターは、警報が発せられたプラントの状態を確認することができる。しかしながら、このような機能はプラントの警報などの状態変化に起因した機能であるため、警報の出力などの状態変化がない場合には、監視制御システムの画面を適切に設定することができない。
また、１つの監視制御システムで監視する範囲が広域化しているため、中央監視設備に複数台の監視制御端末が用意されている場合が多いが、そのような場合には、それぞれの端末の表示する画面が、必ずしも適切な画面であるとは言えない状況が想定される。
【０００９】
例えば、プラントに異常がない場合、オペレーターは複数の監視制御端末のそれぞれに、個別のプラントの情報を見るためのグラフィック画面や計器類の計測データを表示させて、監視を行うことが一般的に行われている。プラントに異常な状態変化がない場合、オペレーターが手動で画面を切り替える操作をしない限り、このような表示が続く。
一方、プラント内の設備に異常が発生した場合には、オペレーターはアラーム画面や異常が発生した施設周辺のグラフィック画面を表示し、アラームが発生した設備や周辺設備の状況を確認し、原因の特定やその対応を行うことになる。この場合、ある１つの監視制御端末で操作を行い、その他の監視制御端末ではその操作に対する他設備への影響を確認しながら監視を行うことが好ましい。しかしながら、従来の監視制御システムでは、警報が発せられた箇所を監視している監視制御端末の表示画面が切り替わるのみであり、複数の監視制御端末を有効に活用して表示画面の切り替えが行われているとは言えない状況であった。
【００１０】
本発明は、複数台の端末を備えた監視制御システムにおいて、的確に効率の良い監視業務が行えるようにすることを目的とする。
【課題を解決するための手段】
【００１１】
本発明の監視制御システムは、所定のネットワークを介して監視制御対象のプラントと接続された複数台の監視制御端末を備える監視制御システムである。
複数台の監視制御端末のそれぞれは、プラントの監視制御を行う画面を表示装置に表示させる画面表示管理部を備える。
複数台の監視制御端末の少なくとも１台の特定の監視制御端末は、プラントからの状態変化を監視するプラント情報管理部と、プラント情報管理部での監視に基づいて、事象を検出する事象検出部と、事象ごとに予め定義した複数の画面情報を格納するグループ画面表示情報定義格納部と、事象検出部が検出した事象に基づいて、グループ画面表示情報定義格納部に格納された画面情報を読み出し、その読み出した画面情報を他の監視制御端末に対して指示する画面表示指示要求部とを備える。
特定の監視制御端末を除く複数台の監視制御端末は、他の監視制御端末からの画面表示指示を受付け、画面表示管理部に受付けた画面表示指示を、画面表示管理部に対して行う画面表示指示受付部を備える。
【００１２】
また、本発明の監視制御方法は、所定のネットワークを介して監視制御対象のプラントと接続された複数台の監視制御端末を備えるシステムに適用される監視制御方法である。
複数台の監視制御端末の少なくとも１台の特定の監視制御端末が行う処理として、プラントからの状態変化を監視するプラント情報管理処理と、プラント情報管理処理による監視に基づいて、事象を検出する事象検出処理と、事象ごとに予め定義した複数の画面情報を格納するグループ画面表示情報定義格納処理と、事象検出処理で検出した事象に基づいて、グループ画面表示情報定義格納処理で格納された画面情報を読み出し、その読み出した画面情報を他の監視制御端末に対して指示する画面表示指示要求処理とを含む。
特定の監視制御端末を除く前記複数台の監視制御端末が行う処理として、他の監視制御端末からの画面表示指示を受付け、受付けた画面表示指示に基づいて表示画面の作成を実行させる画面表示指示受付処理を含む。
【発明の効果】
【００１３】
本発明によると、事象毎にグループ化した複数の監視制御端末に、それぞれの事象に応じた画面を表示させることができ、自動的に適切な画面を表示させることができる。したがって、本発明によると、表示の切り替えなどに対するオペレーターの手間が軽減できると共に、オペレーターは複数の監視制御端末を生かした適切な監視を行うことができる。
【図面の簡単な説明】
【００１４】
【図１】本発明の一実施の形態例に係る監視制御システムの構成例を示すブロック図である。
【図２】本発明の一実施の形態例に係る監視制御端末（画面表示指示要求側）の構成例を示すブロック図である。
【図３】本発明の一実施の形態例に係る監視制御端末（画面表示指示受付側）の構成例を示すブロック図である。
【図４】本発明の一実施の形態例に係るグループ毎の画面表示情報の内容の例を示す図である。
【図５】本発明の一実施の形態例に係る事象要因重要度情報及び表示優先値情報の内容の例を示す図である。
【図６】本発明の一実施の形態例に係る画面表示指示要求側の端末がグループ内の他の端末に画面要求指示を行う処理の流れの例を示すフローチャートである。
【図７】本発明の一実施の形態例に係る画面表示指示受付側の端末が画面表示を行う処理の流れの例を示すフローチャートである。
【図８】本発明の一実施の形態例に係る複数の監視端末での画面表示例を示す図である。
【発明を実施するための形態】
【００１５】
以下、本発明の一実施の形態の例（以下、「本例」と称する。）を、添付図面を参照して説明する。
［１．システム構成］
図１は、本例のシステム構成を示す。
監視制御システム１００は、複数のプラント装置１１２，１２２の監視及び制御を行う。図１の構成では、２つのプラント装置１１２，１２２を監視する例を示すが、監視制御システム１００が３箇所以上のプラント装置を監視するようにしてもよい。プラント装置１１２，１２２としては、例えば上水道や下水道の処理を行うプラント設備が適用される。
【００１６】
そして、これらのプラント装置１１２，１２２の監視及び制御を行う管理事務所９０には、第１監視制御端末１と第２監視制御端末２が設置されている。図１では、管理事務所９０が２台の監視制御端末１，２を備える例を示すが、管理事務所９０が３台以上の監視制御端末を備えてもよい。
それぞれの監視制御端末１，２は、例えばパーソナルコンピュータで構成される。パーソナルコンピュータは、プロセッサなどの演算処理部と、フラッシュメモリ、ＲＡＭ(Random Access Memory) 、ＨＤＤ(Hard Disk Drive)などの記憶部と、入力装置及び表示装置を備えている。監視制御端末１，２が備える表示装置には、監視と制御を行うための画面が表示される。監視制御端末１，２が備える表示装置は、ＬＣＤ(Liquid Crystal Display)などで構成される。そして、オペレーターは、それぞれの監視制御端末１，２の表示装置に表示される画面を見ながら、監視制御端末１，２が備える入力装置を操作することで、プラント装置１１２，１２２を操作することができる。
【００１７】
本例の監視制御システム１００では、第１監視制御端末１が持つ固有定義２０１としては、端末番号として「１」が設定され、画面表示指示形態として「要求側」が設定されている。また、第２監視制御端末２が持つ固有定義２０２としては、端末番号として「２」が設定され、画面表示指示形態として「受付側」が設定されている。
以下の説明では、第１監視制御端末１を要求側の監視制御端末、第２監視制御端末２を受付側の監視制御端末とそれぞれ称する場合がある。
【００１８】
それぞれの監視制御端末１，２は、ネットワーク１０９を介して、プラント装置１１２，１２２ごとに設置されたコントローラ１１０，１２０との通信を行う。コントローラ１１０，１２０は、プロセス入出力部（プロセスＩ／Ｏ）１１１，１２１を通じてプラント装置１１２，１２２と接続されている。そして、コントローラ１１０，１２０は、監視制御端末１，２から伝送された指令に基づいて、各プラント装置１１２，１２２の弁などの各部の動作を制御する。さらに、コントローラ１１０，１２０は、各プラント装置１１２，１２２に設置されたセンサの検出データを収集する。そして、コントローラ１１０，１２０は、収集された検出データに基づいて、各プラント装置１１２，１２２の状態変化などを示すデータを生成する。この状態変化などを示すデータは、例えばテキストデータで構成され、コントローラ１１０，１２０からネットワーク１０９を介して監視制御端末１，２に伝送される。
【００１９】
［２．要求側の監視制御端末の構成］
図２は、第１監視制御端末１（要求側の監視制御端末）の構成の例を示す。この図２に示す構成は、第１監視制御端末１を構成するパーソナルコンピュータに実装されたプログラムがプロセッサで実行されることで具現化する。
第１監視制御端末１は、入力装置として、キーボード１２とタッチパネル１３とマウス１４とを備える。これらのキーボード１２とタッチパネル１３とマウス１４を使用したオペレーターの入力操作があると、入力データが入力処理部１５に伝送される。入力処理部１５に得られた入力データは、画面表示管理部１６に供給される。
【００２０】
画面表示管理部１６は、表示装置１１での監視制御を行う画面の制御を行う。例えば、入力処理部１５からオペレーターの指示があると、画面表示管理部１６は、その指示に基づいた監視制御画面を作成して、表示装置１１に表示する。
また、第１監視制御端末１は、グループ毎画面表示情報定義格納部１７と、事象検出部１８と、プラント情報管理部１９と、ネットワーク管理部２０と、画面表示指示要求部２１とを備える。
【００２１】
ネットワーク管理部２０は、ネットワーク１０９（図１）を介してプラント装置や他の監視制御端末と通信を行う。プラント情報管理部１９は、プラントに設置されたセンサ等からの値を取得し、プラント情報管理処理を行う。事象検出部１８は、プラントの事象検出処理を行う。すなわち、事象検出部１８では、プラントの状態変化の事象や画面表示管理部１６が作成する画面の変化の事象などが検出される。グループ毎画面表示情報定義格納部１７は、システム内の監視制御端末をグループ化した上で、そのグループ内の端末の表示画面の情報を不図示の記憶部に格納する。グループ毎画面表示情報定義格納部１７で格納される表示画面の情報は、テーブルや表形式，オブジェクト形式のデータベースなどの形態の情報であり、予めグループ毎画面表示情報定義格納処理で得られた情報である。そして、グループ毎画面表示情報定義格納部１７に格納された表示画面の情報は、事象検出部１８が検出した事象に基づいて読み出される。
画面表示指示要求部２１は、グループ毎画面表示情報定義格納部１７から読み出された表示画面の情報に基づいて、それぞれの監視制御端末に対して、画面表示指示を行う。画面表示指示要求部２１による画面表示指示は、ネットワーク管理部２０を介して他の監視制御端末に対して送信される。
【００２２】
［３．受付側の監視制御端末の構成］
図３は、第２監視制御端末２（受付側の監視制御端末）の構成の例を示す。この図３に示す構成は、第２監視制御端末２を構成するパーソナルコンピュータに実装されたプログラムがプロセッサで実行されることで具現化する。
第２監視制御端末２は、入力装置として、キーボード１２とタッチパネル１３とマウス１４とを備える。これらのキーボード１２とタッチパネル１３とマウス１４を使用したオペレーターの入力操作があると、入力データが入力処理部１５に伝送される。入力処理部１５に得られた入力データは、画面表示管理部１６に供給される。画面表示管理部１６は、表示装置１１での監視制御を行う画面の制御を行う。ここまで説明した構成は、第１監視制御端末１と同じである。
【００２３】
そして、第２監視制御端末２は、ネットワーク管理部２０と画面表示指示受付部２２とを備える。ネットワーク管理部２０は、ネットワーク１０９（図１）を介してプラント装置や他の監視制御端末と通信を行う。ネットワーク管理部２０が、第１監視制御端末１から送信された画面表示指示を受信すると、その受信した画面表示指示が画面表示指示受付部２２に供給される。画面表示指示受付部２２は、供給された画面表示指示に基づいて、画面表示管理部１６に対して表示装置１１に表示する画面の指示を行う。
【００２４】
なお、画面表示指示受付部２２で画面表示指示の受付がない状況のとき、第２監視制御端末２の画面表示管理部１６は、この第２監視制御端末２が監視制御を行うように予め設定された画面を表示装置１１に表示する。また、画面表示指示の受付がある場合でも、キーボード１２などの入力装置での入力受付があってから一定期間は、画面表示管理部１６が、その入力受付に対応した画面を表示装置１１に表示する。
【００２５】
［４．用意される情報の例］
図４は、第１監視制御端末１のグループ毎画面表示情報定義格納部１７が格納するグループ毎画面表示情報定義の例を示す。
グループ毎画面表示情報４００としては、端末番号毎と事象キー毎に画面番号が対応付けられて格納されている。ここで、事象キーと画面番号の対応の有無により端末間のグループが表される。
例えば、グループ毎画面表示情報４００には、事象の欄４０１の事象キー“ＰＶ００１”に対応して、端末番号１の端末では、画面番号の欄４０２に、画面番号“１０１“が示され、端末番号２の端末では、画面番号の欄４０３に、画面番号”２０１“が示される。この事象キー“ＰＶ００１”が指示されるとき、端末番号１の端末では、画面番号“１０１“の画面が表示され、端末番号２の端末では、画面番号“２０１“の画面が表示される。このようにして、この監視制御システム１００では、事象キー“ＰＶ００１”が指示されるとき、事象キー“ＰＶ００１”で指定された画面番号を有する端末番号１，２，・・・の端末が１つのグループになる。
【００２６】
また、グループ毎画面表示情報４００には、事象の欄４０４の事象キー”ＰＶ００２“に対応して、端末番号１の端末では、画面番号の欄４０５に、画面番号“１０２“が示され、端末番号２の端末では、画面番号の欄４０６に、画面番号”無効”が示される。この事象キー“ＰＶ００２”が指示されるとき、端末番号１の端末では、画面番号“１０２“の画面が表示される。また、端末番号２の端末では、この事象キー“ＰＶ００２”に基づいた画面が表示されない。したがって、事象キー“ＰＶ００２”が指示されるときには、少なくとも端末番号２の端末はグループから除かれる。
【００２７】
また、グループ毎画面表示情報４００には、事象の欄４０７の”画面表示操作”に対応して、端末番号１の端末では画面番号の欄４０８に、画面番号“１０３“が示され、端末番号２の端末では画面番号の欄４０９に、画面番号”２０３“が示される。この”画面表示操作”の事象が指示されるとき、端末番号１の端末では、画面番号“１０３“の画面が表示され、端末番号２の端末では、画面番号“２０３“の画面が表示される。
【００２８】
そして、グループ毎画面表示情報４００のそれぞれの事象キーには、重要度の情報が付加されている。
図５Ａは、事象要因重要度情報の例を示す図である。
事象要因重要度情報５００としては、要因名５０１と重要度５０２とが対応付けられて格納されている。なお、図５Ａの例では、重要度５０２は、値が小さいほど重要度が高く、値が大きいほど重要度が低いことを示す。
【００２９】
本例の場合、要因名として「システム重故障」を示す事象キーには、最も重要度が高い値である重要度“１”が付加されている。また、要因名として「システム軽故障」を示す事象キーには、重要度“３”が付加されている。また、要因名として「プロセス重故障」を示す事象キーには、重要度“２”が付加されている。さらに、要因名として「プロセス軽故障」を示す事象キーには、重要度“４”が付加されている。さらにまた、要因名として「画面表示操作」を示す事象キーには、重要度“５”が付加されている。
なお、要因名は、コントローラ１１０，１２０（図１）でテキスト変換されたプラント状態変化情報や、画面表示管理部１６（図２，図３）などからの情報に含まれる文字列に相当する。
【００３０】
図５Ｂは、表示優先値情報の例を示す図である。
表示優先値情報５１０では、なんらかの事象が発生したとき、その事象の画面を優先して表示する重要度を格納している。例えば、本例の場合には、表示優先値情報５１０の表示優先値の欄５１１として、“２”が設定してある。このため、図５Ａに示すように、“２”よりも重要度が高い要因のである「システム重故障」及び「プロセス重故障」の事象要因が発生したとき、端末では、表示中の画面に優先して事象の画面が表示される。
【００３１】
［５．システムの処理動作］
図６は、本例の監視制御システム１００の第１監視制御端末１（画面表示指示要求側の端末）がグループ内の他の監視制御端末（第２監視制御端末２などの画面表示指示受付側の端末）に、画面要求指示を行う処理の流れを示すフローチャートである。
【００３２】
まず、第１監視制御端末１の事象検出部１８は、プラント情報管理部１９や画面表示管理部１６から渡された事象キーを元に、グループ毎画面表示情報４００から該当する事象キーの画面情報（端末番号と画面番号）を取得する（ステップＳ１１）。
具体的な取得方法としては、例えば事象検出部１８は、事象を示す文字列が、グループ毎画面表示情報４００の事象キーに一致するものがあるか否かを、文字列比較することによって行う。そして、事象検出部１８は、一致する事象キーの画面情報（端末番号と画面番号）を取得する。事象検出部１８は、端末に設定された固有の情報２０１（図１）から自身の端末番号を取得可能であり、自身の端末以外の端末において該当する事象キーに定義されている画面情報（端末番号と画面情報）を、端末の数だけ取得する。
【００３３】
次に、事象検出部１８は、ステップＳ１１での画面情報の取得があるか否かを判断する（ステップＳ１２）。ここで、ステップＳ１１で取得した画面情報の数が０個、あるいは、画面番号の欄４０６の例のように“無効“である場合は、ここでの処理を終了する。
一方、ステップＳ１１で取得した画面情報の数が１個以上であり、かつ画面番号の欄４０６のように“無効“と定義されていない場合は、その画面情報と端末番号を、画面表示指示要求部２１に渡す。このとき、事象検出部１８が該当する事象要因に対応する事象要因重要度情報５００の重要度と表示優先値情報７００の表示優先値を比較し、事象要因重要度情報５００の重要度が表示優先値情報５１０の優先値と同じもしくは小さい場合は、”表示優先”の文字列を画面表示指示要求部２１に渡す。一方、事象要因重要度情報５００の重要度が表示優先値情報５１０の表示優先値よりも大きい場合には、事象検出部１８から”操作優先”の文字列が画面表示指示要求部２１に渡される。
【００３４】
そして、画面表示指示要求部２１は、事象検出部１８から渡された端末番号に基づきネットワーク管理部２０を介して該当する端末と通信を行う。この通信で、画面表示指示要求部２１から通信先の端末の画面表示指示受付部２２に対して、画面情報と”表示優先”もしくは”操作優先”の文字列が送信される（ステップＳ１３）。なお、事象検出部１８は、グループ毎画面表示情報４００から、第１監視制御端末１の表示装置１１が表示する画面情報を取得した際には、その画面情報を、第１監視制御端末１内の画面表示管理部１６に伝え、表示装置１１に表示させる。
【００３５】
図７は、画面表示指示受付側の端末（ここでは第２監視制御端末２）で、画面要求指示を受信したときの処理例を示すフローチャートである。
まず、第２監視制御端末２の画面表示管理部１６は、要求側の端末の画面表示指示要求部２１から渡された画面情報と”表示優先”もしくは”操作優先”の文字列を取得する。そして、画面表示指示受付部２２は、取得した文字列が、”表示優先”か、あるいは”操作優先”であるかを判定する（ステップＳ２１）。
ここで、”表示優先”の場合（ステップＳ２１のＮＯ）には、ステップＳ２３に移行する。一方、”操作優先”の場合（ステップＳ２１のＹＥＳ）には、画面表示管理部１６は、入力装置（キーボード１２，タッチパネル１３，マウス１４）からのオペレーターによる入力操作の有無をチェックする（ステップＳ２２）。ここで、入力装置からの入力操作の有無をチェックする際には、画面表示管理部１６が内部タイマを用いて時刻を参照し、一定時間以上の入力処理部１５からの入力があるかないかで判定する。一定時間とは、例えば２０秒や１分といったように、監視制御システム１００の利用される状況に応じて設定可能な所定の時間である。
【００３６】
そして、ステップＳ２２の判断で、入力ありと判定された場合（ステップＳ２２のＹＥＳ）、画面表示管理部１６では、画面表示指示受付部２２が受付けた画面情報の表示処理を行わず、画面表示管理部１６が入力を受付けた操作状況の画面が表示される（ステップＳ２４）。
【００３７】
また、ステップＳ２２の判断で、入力なしと判定された場合（ステップＳ２２のＮＯ）、画面表示管理部１６はステップＳ２３の処理に移り、画面表示指示受付部２２が受付けた、他の端末からの要求に基づく画面の表示を行う。また、ステップＳ２１で”操作優先”の場合にも、画面表示管理部１６はステップＳ２３の処理に移り、画面表示指示受付部２２が受付けた、他の端末からの要求に基づく画面の表示を行う。
【００３８】
［６．各端末での表示例］
図８は、それぞれの状態での第１監視制御端末１と第２監視制御端末２の表示装置１１で表示される画面の例を示す。
例えばあるタイミングで、第１監視制御端末１の表示装置１１の画面８１１には、プラント装置の過去の所定期間の運転状況の数値をリスト化した帳票が表示される。また、このとき同時に第２監視制御端末２の表示装置１１の画面８１２には、プラント装置が設置された施設全体の運転状況がグラフィック表示される。これらの画面８１１，８１２は、それぞれの端末１，２で表示されるように予め定義されたものである。
【００３９】
この状況で、例えばコントローラ１１０から第１監視制御端末１に、特定の送水ポンプでの変化の事象を示す情報が伝送され、その事象が”表示優先”であるとする。このとき、第１監視制御端末１の表示装置１１の画面８２１では、該当する送水ポンプの処理量や周辺の水量などのリアルタイムの変化をグラフで示すリアルタイムトレンド画面が表示される。
また、第２監視制御端末２の表示装置１１の画面８２２には、該当する送水ポンプの周辺のプラント設備の状況がグラフィック表示されるグラフィック画面が表示される。
【００４０】
なお、発生した事象の重要度が、表示優先値（図５Ｂ）よりも低く、かつ該当する端末で入力装置での入力を受付けてから一定期間内である場合には、その端末での表示画面は変化せず、入力操作に基づいた画面が表示される。
【００４１】
このように本例の監視制御システム１００によると、何らかの事象が発生したとき、オペレーターが所望する画面が、グループ間の複数の端末間に渡って表示され、オペレーターが表示切り替え操作などを行うことなく、適切な監視制御ができるようになる。例えば何らかの事象が発生したとき、１台の監視制御端末の表示装置の画面内に、事象の発生を告知する情報のウィンドウを重ねて表示させた場合には、１つの画面の中に多数の情報が表示されることになり、オペレーターが非常に見にくい画面になる可能性がある。これに対して、本例の場合には、用意された複数の端末の表示装置の画面で連携した個別の表示が行われ、事象の詳細を確認する上で見易い形態で表示されるようになる。
さらに、本例の場合には、事象に応じて設定した優先度に基づいて、それぞれの端末でのオペレーターの操作が優先される場合には、オペレーターの操作に基づいた画面が表示され、オペレーターの操作画面が不用意に切り替わってしまう不具合を防止できる。
【００４２】
［７．変形例］
なお、本例のシステムでは、何らかの事象が発生した際に、優先度に基づいて操作画面が表示される際には、その事象を示すいずれかの画面が表示されなくなるが、該当する画面を、特定の事象を表示するグループから外れた別の端末で表示するようにしてもよい。あるいは、特定の事象を表示するグループ内のいずれかの端末で、操作により表示されない画面を含む複数の画面を合成した画面を表示させてもよい。
【００４３】
また、図８に示す画面の例や、図４や図５に示す事象キーや画面番号などは、一例を示したものであり、本発明はこれらの例に限定されない。
【００４４】
さらに、上述した実施の形態の例では、上水道や下水道の処理を行うプラント設備の例を説明したが、本発明は、プラントであれば、石油精油プラントや各発電所など、様々なものに幅広く適用可能である。
【００４５】
また、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は、本発明を分かりやすく説明するために装置及びシステムの構成を詳細かつ具体的に説明したものであり、必ずしも説明した全ての構成を備えるものに限定されるものではない。また、実施の形態例の構成の一部について、他の構成の追加、削除、置換をすることも可能である。
また、図面に示す制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４６】
１…第１監視制御端末（画面表示指示要求側）、２…第２監視制御端末（画面表示指示受付側）、１１…表示装置、１２…キーボード、１３…タッチパネル、１４…マウス、１５…入力処理部、１６…画面表示管理部、１７…グループ毎画面表示情報定義格納部、１８…事象検出部、１９…プラント情報管理部、２０…ネットワーク管理部、２１…画面表示指示要求部、２２…画面表示指示受付部、９０…管理事務所、１００…監視制御システム、１１０，１２０…コントローラ、１１１，１２１…プロセス入出力部（プロセスＩ／Ｏ）、１１２，１２２…プラント装置、２０１，２０２…監視端末の固有定義、４００…グループ毎画面表示情報、４０１，４０４，４０７…事象キー、４０２，４０３…画面番号（画面識別情報）、５０５，５０６…画面番号（画面識別情報）、４０８，４０９…画面番号（画面識別情報）、５００…事象要因重要度情報、５０１…要因名、５０２…重要度、５１０…表示優先値情報、５１１…表示優先値、８１１，８１２，８２１，８２２…画面
【図１】
2016126435.tif 000003
【図２】
2016126435.tif 000004
【図３】
2016126435.tif 000005
【図４】
2016126435.tif 000006
【図５】
2016126435.tif 000007
【図６】
2016126435.tif 000008
【図７】
2016126435.tif 000009
【図８】
2016126435.tif 000010